(57)【要約】【課題】簡単にワンタッチで金属線を釣り針に連結可能な釣り針への金属線連結具、釣り針への金属線連結方法及び釣り用仕掛けを提供する。【解決手段】釣り針２０への金属線連結具１０は、釣り針２０と円筒体部材３０を備える。釣り針２０は、針先部２１ａと、後端２４側の針胴部２２と、針胴部２２のうち、後端２４側に設けられた最大径部２３ｂから、最大径部２３ｂより針先部２１ａ側の最小径部２３ａまでの部分が、断面略円形に形成されると共に、最大径部２３ｂから最小径部２３ａまでにかけて、径が緩やかに小さくなるテーパ形状からなるテーパ部２３を備える。円筒体部材３０は、内径が最大径部２３ｂと略同径で、テーパ部２３を囲んで配置される。円筒体部材３０とテーパ部２３の間に金属線４０を挟持させて、釣り針２０に金属線４０を連結する。【選択図】図２
2011092131.tif 000002
【特許請求の範囲】
【請求項１】
釣り針に金属線を連結する釣り針への金属線連結具であって、
先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた前記釣り針と、
内径が前記最大径部と略同径の略円筒体からなり、前記テーパ部を囲むように配置される円筒体部材と、を備え、
前記円筒体部材と前記テーパ部との間に前記金属線を挟持することにより、前記釣り針に前記金属線を連結することを特徴とする釣り針への金属線連結具。
【請求項２】
前記円筒体部材は、前記釣り針の前記後端側に配置される端部に、内径が大きくなる拡径部を備えることを特徴とする請求項１に記載の釣り針への金属線連結具。
【請求項３】
前記最大径部の径と前記最小径部の径との差は、前記金属線の径の１．２倍以上で、２．０倍未満であることを特徴とする請求項１に記載の釣り針への金属線連結具。
【請求項４】
前記テーパ部の長さは、前記金属線の径の１０〜１８倍であることを特徴とする請求項１に記載の釣り針への金属線連結具。
【請求項５】
前記円筒体部材の前記内径は、前記最大径部と同径以上で、かつ、前記最大径部の径と前記金属線の径との和よりも小さいことを特徴とする請求項１記載の釣り針への金属線連結具。
【請求項６】
前記金属線は、前記テーパ部と前記円筒体部材に挟持される被挟持部と、該被挟持部から折返された前記金属線の先端側が前記テーパ部と前記円筒体部材に挟持される先端側被挟持部と、該先端側被挟持部と前記被挟持部の間の折返し部と、を備え、
前記円筒体部材よりも前記針先部側の位置で、前記針胴部の周囲に配置される環状体を備え、
該環状体は、前記円筒体部材の内径よりも大きな外径を有し、前記金属線の前記折返し部が挿通可能に構成されることを特徴とする請求項１記載の釣り針への金属線連結具。
【請求項７】
先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた釣り針に金属線を連結する釣り針への金属線連結方法であって、
内径が前記最大径部と略同径の略円筒体からなる円筒体部材に、前記釣り針を該釣り針の前記後端側から挿入する工程と、
前記円筒体部材を、前記針胴部のうち、前記円筒体部材の前記内径より細い径を有する位置の周囲に配置させる工程と、
前記金属線を、前記釣り針の前記後端側から、前記針胴部と前記円筒体部材との間隙に挿入し、前記金属線の挿通部を形成する金属線挿入工程と、
前記金属線の前記挿通部を保持したまま、前記円筒体部材を前記テーパ部へ移動させ、前記金属線の前記挿通部を前記テーパ部と前記円筒体部材との間に挟持することにより前記釣り針に前記金属線を連結する連結工程と、を備えることを特徴とする釣り針への金属線連結方法。
【請求項８】
前記金属線挿入工程の後で、前記金属線の前記挿通部よりも先端側を、前記針胴部の周囲に捲回した後、再度前記間隙に挿入して、前記挿通部に隣接させて先端側挿通部を形成する工程を行い、
前記連結工程では、前記金属線の前記挿通部及び前記先端側挿通部を保持したまま、前記円筒体部材を前記テーパ部へ移動させ、前記金属線の前記挿通部及び前記先端側挿通部を前記テーパ部と前記円筒体部材との間に挟持することにより前記釣り針に前記金属線を連結することを特徴とする請求項７記載の釣り針への金属線連結方法。
【請求項９】
先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた釣り針に金属線を連結する釣り針への金属線連結方法であって、
内径が前記最大径部と略同径の略円筒体からなる円筒体部材の内径よりも大きな外径を備えた環状体及び前記円筒体部材に、前記釣り針を該釣り針の前記後端側から順次挿入する工程と、
前記環状体及び前記円筒体部材を、前記針胴部のうち、前記円筒体部材の前記内径より細い径を有する位置の周囲に配置させる工程と、
前記金属線を、前記釣り針の前記後端側から、前記針胴部と前記円筒体部材との間隙に挿入して、前記金属線の挿通部を形成する挿入工程と、
前記金属線の前記挿通部よりも先端側を、前記針胴部と前記環状体との間隙に挿入し、前記針胴部の周囲に捲回した後、再度前記針胴部と前記円筒体部材との間隙に挿入して、前記挿通部に隣接させて先端側挿通部を形成する工程と、
前記金属線の前記挿通部及び前記先端側挿通部を保持したまま、前記円筒体部材を前記テーパ部へ移動させ、前記金属線の前記挿通部及び前記先端側挿通部を前記テーパ部と前記円筒体部材との間に挟持することにより前記釣り針に前記金属線を連結する連結工程と、を備えることを特徴とする釣り針への金属線連結方法。
【請求項１０】
金属線に連結された釣り針を含む釣り用仕掛けであって、
先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた前記釣り針と、
内径が前記最大径部と略同径の略円筒体からなり、前記テーパ部を囲むように配置される円筒体部材と、
該円筒体部材と前記テーパ部との間に挟持されることにより前記釣り針に連結された金属線と、を備えることを特徴とする釣り用仕掛け。
【発明の詳細な説明】
【技術分野】
【０００１】
本発明は釣り針への金属線連結具、釣り針への金属線連結方法及び釣り用仕掛けに係り、特に簡単にワンタッチで金属線を釣り針に連結可能な釣り針への金属線連結具、釣り針への金属線連結方法及び釣り用仕掛けに関する。
【背景技術】
【０００２】
図７に示す釣り用の仕掛けが広く用いられている。この仕掛けは、釣り竿８に道糸１を取り付け、その先にサルカン６を介して幹糸２を連結し、幹糸２に分岐するようにハリス３を結び付け、ハリス３の先に釣り針５を結び付けたものである。
釣り針５としては、針先と逆の端部に平らな団扇状のチモトが形成された不図示のチモト針等が一般的に用いられているが、チモト針とハリス３とを結びつける作業は時間がかかりかつ熟練を要する。
そこで、釣り糸を釣り針５に容易に接続可能な釣り針接続具が知られている（例えば、特許文献１参照）。
【０００３】
特許文献１には、図８の釣り針と釣り針接続具のセットが開示されている。この釣り針と釣り針接続具のセットは、釣り針の軸１０２頭部に大径の球形突出部１０３を具備した交換釣り針１０１と、ばね板で製作され、交換釣り針１０１の突出部１０３を内包可能な円筒状の中空体で、上面側に釣り糸と接続する結合孔１０５、下面に交換釣り針１０１の突出部１０３を係止する支持孔１０８、側面に交換釣り針１０１の突出部１０３を挿入するための開口部１０６、下面の支持孔に交換釣り針１０１の軸１０２を押圧して嵌込むための割り溝１０７を具備した釣り針接続具１０４とを備えている。
この特許文献１に記載された発明によれば、釣り針と釣り糸の接続を、容易にワンタッチでできるという効果を奏する。
【先行技術文献】
【特許文献】
【０００４】
【特許文献１】特開平１１−１６５０４７号公報（請求項２、段落００１２〜００１７、図４〜７、図１７）
【発明の概要】
【発明が解決しようとする課題】
【０００５】
しかし、特許文献１の従来の釣り針及び釣り針接続具は、交換釣り針１０１全体が、釣り糸に対して回転方向に固定されておらず、回転自在なため、交換釣り針１０１の針先方向が水中で自由に変化して鉤振りを起こすという問題があった。鉤振りは、釣果に悪影響を及ぼす重大な要素である。
また、特許文献１の従来の釣り針及び釣り針接続具は、釣り針接続具１０４が交換釣り針１０１に対して大きいため、水中で目立って魚が寄りにくく、さらに、大きな釣り針接続具１０４が邪魔になって魚が釣り針を吸い込むのを阻害するという問題点もあった。
【０００６】
更に、上記従来の釣り針及び釣り針接続具によれば、交換釣り針１０１が釣り針接続具１０４の支持孔１０８に係止するだけで支えられ、かつ支持孔１０８が割り溝１０７に繋がっている。一般的に、図８のように割り溝１０７と支持孔１０８が繋がった被係止部は、割り溝１０７両側の係止片１０９を相互に近づける方向の力、広げる方向の力に対して弱い構造となっている。従って、開口部１０６が、釣り針にかかった魚が水中で暴れた際の、交換釣り針１０１と釣り針接続部１０４を引き離す方向の力に耐えきれず、交換釣り針１０１と釣り針接続具１０４とが容易に分離してしまうという問題があった。
また、特許文献１の従来の交換釣り針１０１及び釣り針接続具１０４は、釣り糸の結び目を釣り針接続具１０４の結合孔１０５に係止させることにより交換釣り針１０１に連結していることから、金属線からなる釣り糸を用いるのは難しい。金属線に、ワンタッチで釣り針を連結可能な連結部材は知られていない。
【０００７】
本発明は、上記事情に鑑みてなされたものであって、金属線を簡単にワンタッチで釣り針に連結可能な釣り針への金属線連結具、釣り針への金属線連結方法及び釣り用仕掛けを提供することにある。
また、本発明の他の目的は、連結が容易でかつ鉤振りを生じない釣り針への金属線連結具、釣り針への金属線連結方法及び釣り用仕掛けを提供することにある。
【課題を解決するための手段】
【０００８】
前記課題は、請求項１に係る釣り針への金属線連結具によれば、釣り針に金属線を連結する釣り針への金属線連結具であって、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた前記釣り針と、内径が前記最大径部と略同径の略円筒体からなり、前記テーパ部を囲むように配置される円筒体部材と、を備え、前記円筒体部材と前記テーパ部との間に前記金属線を挟持することにより、前記釣り針に前記金属線を連結すること、により解決される。
【０００９】
このように構成されているので、円筒体部材とテーパ部との間に金属線を挟持するだけで釣り針に連結でき、簡単にワンタッチで金属線を連結可能な釣り針への金属線連結具を提供可能となる。
本発明の釣り針への金属線連結具は、釣り針と円筒体部材から構成されているため、釣り針に釣り糸を結びつける場合と大差ないほど小さな連結具とすることができる。従って、大きな連結具と異なり、魚が寄らずに掛かりにくくなるということがない。また、釣り針への金属線連結具が小さいため、小さな釣り針にも使用できる。
また、円筒体部材とテーパ部との間に金属線を挟持するだけで金属線を釣り針に連結するため、接着剤や結束による連結の場合と異なり、円筒体部材と、金属線、釣り針との間は、相互に完全には固定されず、僅かに可動可能な状態となる。その結果、釣り針に魚がかかったときなど、釣り針を引っ張る方向の力がかかったときには、円筒体部材、金属線、釣り針の間の摩擦により、円筒体部材が釣り針の最大径部側へ引き込まれることとなり、魚が掛かることによって連結が弱まることがなく、却って強く連結されることとなる。
【００１０】
更に、円筒体部材とテーパ部との間に金属線を挟持するだけで金属線を釣り針に連結するため、金属線を、テーパ部の軸方向に垂直な面を構成する円の周囲のどの位置に配置するかを自由に選択して、調整、固定でき、鉤振りを防止できる。
更に、円筒体部材の内径が最大径部と略同径からなるため、金属線と釣り針を連結する際、釣り針を釣り針の後端側から円筒体部材に挿入できる。その結果、円筒体部材を釣り針に自由に装脱できるので、製造段階で円筒体部材を釣り針に通して置く必要がなく、製造・保管が容易で、単純な構成の使い易い釣り針への金属線連結具とすることができる。
【００１１】
前記円筒体部材は、前記釣り針の前記後端側に配置される端部に、内径が大きくなる拡径部を備えるように構成してもよい。
このように構成しているため、金属線を円筒体部材と針胴部との間に簡単に挿入可能で、金属線挿入時の作業性がよい。また、拡径部の内径が、テーパ部の傾斜と同じ向きで広がるため、金属線を釣り針と円筒体部材で挟持した状態において、拡径部の内壁とテーパ部とが対向し、拡径部の内壁とテーパ部とが当接する。従って、円筒体部材とテーパ部との間の当接面が広くなって、連結強度を向上させることが可能となる。
【００１２】
また、前記最大径部の径と前記最小径部の径との差は、前記金属線の径の１．２倍以上で、２．０倍未満であるように構成してもよい。
最大径部の径と最小径部の径との差をこの範囲内にすることにより、金属線を円筒体部材とテーパ部との間に挿入する際の作業性を確保しながら十分な連結強度を得ることが可能となる。最大径部の径と最小径部の径との差が、金属線の径の１．２倍未満である場合、金属線を円筒体部材と針胴部との間に挿入しにくく、作業性が悪くなる。また、最大径部の径と最小径部の径との差が、金属線の径の２．０倍以上である場合、金属線と円筒体部材、テーパ部との間に緩みが生じ、十分な連結強度が得られなくなる。
【００１３】
更に、前記テーパ部の長さは、前記金属線の径の１０〜１８倍であるように構成してもよい。
テーパ部の長さが、金属線の径の１０倍より小さい場合、円筒体部材を係止させるに十分な長さのテーパ部を確保できず、十分な連結強度を得ることができない。また、テーパ部の長さが、金属線の径の１８倍より大きい場合、釣り針全体が大きくなり、魚が掛かりにくくなる。
【００１４】
前記円筒体部材の前記内径は、前記最大径部と同径以上で、かつ、前記最大径部の径と前記金属線の径との和よりも小さくなるように構成してもよい。
このように構成しているので、特に、太い金属製ワイヤラインや針金等を金属線として用いる場合でも、十分な連結強度を備えた金属線の釣り針への金属線連結具を提供できる。
【００１５】
前記金属線は、前記テーパ部と前記円筒体部材に挟持される被挟持部と、該被挟持部から折返された前記金属線の先端側が前記テーパ部と前記円筒体部材に挟持される先端側被挟持部と、該先端側被挟持部と前記被挟持部の間の折返し部と、を備え、前記円筒体部材よりも前記針先部側の位置で、前記針胴部の周囲に配置される環状体を備え、該環状体は、前記円筒体部材の内径よりも大きな外径を有し、前記金属線の前記折返し部が挿通可能に構成されていてもよい。
このように構成されているので、魚等により金属線を引っ張る力がかかったときに、強い力で金属線が釣り針の後端方向へ後退しようとしても、環状体が円筒体部材に引っ掛かり、折返し部が円筒体部材内を通って後端側へ抜けようとする動きを制限するため、金属線が釣り針への金属線連結具から抜けることを防止できる。更に、魚等により金属線を引っ張る力がかかったときに、環状体が円筒体部材に引っ掛かり、環状体が円筒体部材を後端方向へ押圧するため、円筒体部材が更に最大径部に向かって押し込まれ、金属線と釣り針との連結がより強固になる。
また、環状体が円筒体部材の内径よりも大きな外径を有するため、環状体が金属線の被挟持部、折返し部、先端側被挟持部と共に円筒体部材内部に引き込まれて円筒体部材から抜けることを防止することができる。
【００１６】
前記課題は、請求項７に係る釣り針への金属線連結方法によれば、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた釣り針に金属線を連結する釣り針への金属線連結方法であって、内径が前記最大径部と略同径の略円筒体からなる円筒体部材に、前記釣り針を該釣り針の前記後端側から挿入する工程と、前記円筒体部材を、前記針胴部のうち、前記円筒体部材の前記内径より細い径を有する位置の周囲に配置させる工程と、前記金属線を、前記釣り針の前記後端側から、前記針胴部と前記円筒体部材との間隙に挿入し、前記金属線の挿通部を形成する金属線挿入工程と、前記金属線の前記挿通部を保持したまま、前記円筒体部材を前記テーパ部へ移動させ、前記金属線の前記挿通部を前記テーパ部と前記円筒体部材との間に挟持することにより前記釣り針に前記金属線を連結する連結工程と、を備えること、により解決される。
このように構成されているので、円筒体部材とテーパ部との間に金属線を挟持するだけで釣り針に連結でき、簡単にワンタッチで金属線を連結可能な釣り針への金属線連結具を提供可能となる。
内径が最大径部と略同径の略円筒体からなる円筒体部材に、釣り針を釣り針の後端側から挿入する工程を備えているので、製造段階で円筒体部材を釣り針に通して置く必要がなく、製造・保管が容易で、単純な構成の使い易い釣り針への金属線連結具とすることができる。
【００１７】
このとき、前記金属線挿入工程の後で、前記金属線の前記挿通部よりも先端側を、前記針胴部の周囲に捲回した後、再度前記間隙に挿入して、前記挿通部に隣接させて先端側挿通部を形成する工程を行い、前記連結工程では、前記金属線の前記挿通部及び前記先端側挿通部を保持したまま、前記円筒体部材を前記テーパ部へ移動させ、前記金属線の前記挿通部及び前記先端側挿通部を前記テーパ部と前記円筒体部材との間に挟持することにより前記釣り針に前記金属線を連結するように構成してもよい。
このように、金属線挿入工程の後で、金属線の挿通部よりも先端側を、針胴部の周囲に捲回した後、再度間隙に挿入して、挿通部に隣接させて先端側挿通部を形成する工程を行うため、金属線が魚等によって引っ張られた際、金属線のうち針胴部の周囲に捲回された部分は、針胴部を締め付ける方向に引っ張られ、針胴部と金属線のうち針胴部の周囲に捲回された部分との間で生じる摩擦抵抗により、金属線が抜けることが防止される。
【００１８】
前記課題は、請求項９に係る釣り針への金属線連結方法によれば、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた釣り針に金属線を連結する釣り針への金属線連結方法であって、内径が前記最大径部と略同径の略円筒体からなる円筒体部材の内径よりも大きな外径を備えた環状体及び前記円筒体部材に、前記釣り針を該釣り針の前記後端側から順次挿入する工程と、前記環状体及び前記円筒体部材を、前記針胴部のうち、前記円筒体部材の前記内径より細い径を有する位置の周囲に配置させる工程と、前記金属線を、前記釣り針の前記後端側から、前記針胴部と前記円筒体部材との間隙に挿入し、前記金属線の挿通部を形成する挿入工程と、前記金属線の前記挿通部よりも先端側を、前記針胴部と前記環状体との間隙に挿入し、前記針胴部の周囲に捲回した後、再度前記針胴部と前記円筒体部材との間隙に挿入して、前記挿通部に隣接させて先端側挿通部を形成する工程と、前記金属線の前記挿通部及び前記先端側挿通部を保持したまま、前記円筒体部材を前記テーパ部へ移動させ、前記金属線の前記挿通部及び前記先端側挿通部を前記テーパ部と前記円筒体部材との間に挟持することにより前記釣り針に前記金属線を連結する連結工程と、を備えること、により解決される。
このように構成されているので、円筒体部材とテーパ部との間に金属線を挟持するだけで釣り針に連結でき、簡単にワンタッチで金属線を連結可能な釣り針への金属線連結具を提供可能となる。
また、魚等により金属線を引っ張る力がかかったときに、強い力で金属線が釣り針の後端方向へ後退しようとしても、環状体が円筒体部材に引っ掛かり、折返し部が円筒体部材内を通って後端側へ抜けようとする動きを制限するため、金属線が釣り針への金属線連結具から抜けることを防止できる。更に、魚等により金属線を引っ張る力がかかったときに、環状体が円筒体部材に引っ掛かり、環状体が円筒体部材を後端方向へ押圧するため、円筒体部材が更に最大径部に向かって押し込まれ、金属線と釣り針との連結がより強固になる。
【００１９】
前記課題は、請求項１０に係る釣り用仕掛けによれば、金属線に連結された釣り針を含む釣り用仕掛けであって、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた前記釣り針と、内径が前記最大径部と略同径の略円筒体からなり、前記テーパ部を囲むように配置される円筒体部材と、前記円筒体部材と前記テーパ部との間に挟持されることにより前記釣り針に連結された金属線と、を備えること、により解決される。
このように構成されているので、円筒体部材とテーパ部との間に金属線を挟持するだけで釣り針に連結でき、簡単にワンタッチで金属線を連結可能な釣り用仕掛けを提供可能となる。
【発明の効果】
【００２０】
本発明によれば、円筒体部材とテーパ部との間に金属線を挟持するだけで釣り針に連結でき、簡単にワンタッチで金属線を連結可能な釣り針への金属線連結具を提供可能となる。
また、円筒体部材とテーパ部との間に金属線を挟持するだけで金属線を釣り針に連結するため、金属線を、テーパ部の軸方向に垂直な面を構成する円の周囲のどの位置に配置するかを自由に選択して、調整、固定でき、鉤振りを防止できる。
更に、円筒体部材の内径が最大径部と略同径からなるため、金属線と釣り針を連結する際、釣り針を釣り針の後端側から円筒体部材に挿入できる。その結果、円筒体部材を釣り針に自由に装脱できるので、製造段階で円筒体部材を釣り針に通して置く必要がなく、製造・保管が容易で、単純な構成の使い易い釣り針への金属線連結具とすることができる。
【図面の簡単な説明】
【００２１】
【図１】本発明の一実施形態の釣り針及びスリーブを示す説明図である。
【図２】本発明の一実施形態の金属線連結具により釣り針に金属線を連結する手順を示す説明図である。
【図３】本発明の一実施形態の金属線連結具により釣り針に金属線を連結する他の手順を示す説明図である。
【図４】本発明の他の実施形態の金属線連結具による連結を示す説明図である。
【図５】イカ角の金属線連結具を示す説明図である。
【図６】本発明の実施形態の釣り針の最小径部の径、最大径部の径、金属線の種類と径、スリーブの最小内径を変化させて、金属線をテーパ部に連結した場合の試験結果を示す表である。
【図７】一般的な釣り用の仕掛けを示す説明図である。
【図８】従来の釣り針と釣り針接続具のセットを示す説明図である。
【発明を実施するための形態】
【００２２】
以下、本発明の実施形態について、図を参照して説明する。なお、以下に説明する部材、配置等は、本発明を限定するものではなく、本発明の趣旨に沿って各種改変することができることは勿論である。
本明細書中において、「テーパ状」とは、軸体の特定部分が、一端側の太さよりも他端側の太さが細くなっていることをいう。この「テーパ状」に形成される軸体は、特定部分の一端側の太さよりも他端側の太さが細くなっていれば良く、断面が円、楕円、矩形、その他の多角形等、いずれの形状となっていてもよい。例えば、断面が矩形の場合には、上下側の幅が一定で、左右側の幅が、一端側よりも他端側が大きくなるように構成されていてもよいし、上下側の幅、左右側の幅の双方が、一端側よりも他端側が大きくなるように構成されていてもよい。また、上下側の幅が、一端側よりも他端側が大きくなるように構成され、左右側の幅が、一端側よりも他端側が小さくなるように形成されているが、断面の周が、全体として一端側よりも他端側が小さくなるように形成されていてもよい。
また、「金属線」とは、釣り用の金属製テグスをいい、ピアノ線、タングステン線、針金、Ｎｉ−Ｔｉに代表される超弾性線などの金属線又は金属撚り線、これらの金属線又は金属撚り線であって金属コーティングや樹脂コーティングが施されたもの等を含む。
【００２３】
本実施形態の釣り針への金属線連結具１０（以下、連結具１０という）は、幹糸に分岐するようにハリスを結び付けた釣り用の仕掛け等において使用されるものであり、図１の釣り針２０と、円筒体部材としてのスリーブ３０とからなる。
釣り針２０は、図１に示すように、釣り餌を付けるための先端側の針先部２１ａと、曲がり２１ｂと、後端２４側の針胴部２２とからなる。
針胴部２２は、断面が略円形になっており、後端２４に近い位置に、テーパ部２３を備えている。テーパ部２３は、曲がり２１ｂ側の最も細い最小径部２３ａと、後端２４側の最も太い最大径部２３ｂとの間の領域であり、最小径部２３ａから最大径部２３ｂに向かって一定の勾配で径が大きくなる斜辺が直線状のテーパに形成されている。なお、テーパ部２３を、一定の勾配でなく、斜辺が２次方程式等で表される凸又は凹の曲線になるようにしてもよい。
【００２４】
テーパ部２３の勾配は、本実施形態の連結具１０による金属線４０と釣り針２０の連結の強度を決定する重要な要素であり、最大径部２３ｂの径と最小径部２３ａの径との差は、金属線４０の径の１．２倍以上で、２．０倍未満である。最大径部２３ｂの径と最小径部２３ａの径との差をこの範囲内に設定することにより、テーパ部２３とスリーブ３０との間に金属線４０を１本のみ挿入する連結方法、テーパ部２３とスリーブ３０との間に金属線４０を２本挿入する連結方法の双方が可能となる。
【００２５】
即ち、図２（Ｃ）のように、テーパ部２３とスリーブ３０との間に金属線４０を１本のみ挿入する連結方法による場合は、最大径部２３ｂの径と最小径部２３ａの径との差は、金属線４０の径の１．２倍以上で、１．５倍未満とすると好適である。差が金属線４０の径の１．２倍よりも小さくなると、金属線４０を針胴部２２とスリーブ３０との間に挿入しにくく、作業性が悪くなる。また、最大径部２３ｂの径と最小径部２３ａの径との差が、金属線４０の径の１．５倍以上である場合、金属線４０とスリーブ３０、テーパ部２３との間に若干の緩みが生じ、連結強度が若干弱くなる。
【００２６】
また、図３、図４のように、テーパ部２３とスリーブ３０との間に金属線４０を２本挿入する連結方法による場合は、最大径部２３ｂの径と最小径部２３ａの径との差は、金属線４０の径の１．３倍以上とすると好適である。差が金属線４０の径の１．３倍よりも小さくなると、テーパ部２３とスリーブ３０との間の間隙が、２本の金属線４０を挟持するには小さくなり、テーパ部２３とスリーブ３０との間に金属線４０を２本挿入する連結方法による連結強度が若干弱くなる。
また、図３のテーパ部２３とスリーブ３０との間に金属線４０を２本挿入する連結方法による場合は、最大径部２３ｂの径と最小径部２３ａの径との差は、金属線４０の径の２．０倍未満とすると好適である。最大径部２３ｂの径と最小径部２３ａの径との差が、金属線４０の径の２．０倍以上である場合、２本の金属線４０とスリーブ３０、テーパ部２３との間に緩みが生じ、十分な連結強度が得られなくなる。
なお、図３、図４のように、テーパ部２３とスリーブ３０との間に金属線４０を２本挿入する連結方法による場合、最大径部２３ｂの径と最小径部２３ａの径との差が、金属線４０の径の１．４倍以上とすると、金属線４０を針胴部２２とスリーブ３０との間に挿入する作業性がよくなり、好適である。
【００２７】
金属線４０の太さは、様々であるが、ここでいう金属線４０の直径は、釣り針２０への連結具１０との連結に使用される金属線４０の直径をいう。釣り針２０の大きさ、金属線４０の太さは、釣る魚に合わせて選定されるため、所定の釣り針２０に対して使用される金属線４０の太さは、ある程度決まってくるのである。
具体的には、金属線４０として０．２ｍｍ〜０．４ｍｍ程度のものを用いるのが一般的である。
【００２８】
本実施形態では、最大径部２３ｂは、釣り針２０の後端２４から所定距離、例えば、１ｍｍ〜２ｍｍ程度内側の位置であって、最小径部２３ａより金属線４０所定本数分、例えば金属線４０約１０〜１８本分後端２４側の位置をいう。
最大径部２３ｂを釣り針２０の後端２４から所定距離内側の位置としたため、後端２４よりも最大径部２３ｂの径が太くなり、後端２４から最大径部２３ｂにかけて角のない丸みを帯びた形状とすることができ、金属線４０が後端２４に擦れて切れることを防止できる。
【００２９】
また、最大径部２３ｂを、釣り針２０の後端２４から所定距離、例えば、１ｍｍ〜２ｍｍ程度内側の位置としたのは、テーパ部２３の後端から釣り針２０の後端２４までの距離を２ｍｍより長くすると、釣り針２０の針胴部２２が長くなるため、魚がかかりにくくなるからである。
このように、テーパ部２３の最大径部２３ｂの径と最小径部２３ａの径との差は、金属線４０の径の１．２倍以上で、２．０倍未満であり、かつ、最大径部２３ｂは、最小径部２３ａより金属線４０所定本数分、例えば金属線４０約１０〜１８本分の位置にあって、テーパ部２３が、最小径部２３ａから最大径部２３ｂにかけて、径が緩やかに大きくなっているので、本体部３２の全長に亘って内径が同径に構成されたスリーブ３０内に、安定して係止可能となる。
【００３０】
図１に示すように、スリーブ３０は、銅、アルミニウム（染色アルミ）、真鍮、ニッケル、鉄等の金属製の略円筒体からなり、軸方向の一端に形成された拡径部３１と、拡径部３１以外の本体部３２を備える。例えば、釣り具として一般に取引されている汎用的な銅製のワイヤハリス結束用スリーブの一端を広げて拡径部３１を構成したものを用いることができる。スリーブ３０の厚み及びスリーブ３０を形成する金属の組成は、魚が釣り針２０にかかったときにかかる力により変形する程度のものとして構成される。
特別大魚に適用される場合を除き、スリーブ３０の壁の厚みは、約０．３〜０．４ｍｍ、スリーブ３０の長さは３〜６ｍｍ、好ましくは３ｍｍ程度に設定される。スリーブ３０の長さが６ｍｍより長くなると、連結具１０全体の大きさが大きくなり、魚がかかりにくくなる。また、スリーブ３０の長さが３ｍｍより短くなると、金属線４０の保持力が弱くなり、また、スリーブ３０の変形や裂けが発生する虞が生じる。
【００３１】
拡径部３１は、スリーブ３０の端部に向かって内径が大きくなった部分をいい、スリーブ３０が釣り針２０のテーパ部２３に装着されたときに後端２４側に配置される端部に設けられる。スリーブ３０の一端、即ちスリーブ３０が釣り針２０のテーパ部２３に装着されたときに後端２４側に配置される端部に拡径部３１を備えているため、図２（Ｂ）で、金属線４０をスリーブ３０と釣り針２０との間の間隙に差し込みやすくなる。拡径部３１をスリーブ３０の一端のみに設けているのは、スリーブ３０が釣り針２０のテーパ部２３に装着されたときに曲がり２１ｂ側に配置される端部に拡径部を設けると、この拡径部とテーパ部２３との間の間隙が広くなり、金属線４０を挟み込む力が弱くなり、全体として、スリーブ３０とテーパ部２３とが金属線４０を挟持する力を弱める結果になるからである。なお、拡径部３１とは逆側のスリーブ３０の端部は、平面でなく、丸みを帯びるように構成されている。このように構成されているため、拡径部３１と逆側のスリーブ３０の端部と針胴部２２との間の間隙に金属線４０を挿入する際の作業性が向上される。
拡径部３１は、スリーブ３０よりも太い不図示の金属製円柱体の先端を削って円錐形にしたものを鉛直に立て、その上にスリーブ３０を同軸状になるように載せて、上から金槌等で叩くことにより、形成される。
【００３２】
スリーブ３０の本体部３２の内径は、使用する釣り針２０の最大径部２３ｂと略同径で、釣り針２０の最大径部２３ｂが、本体部３２の内壁に接触しながらスリーブ３０の全長を通過可能な程度の太さからなる。但し、金属線４０として０．９ｍｍ以上の太い金属線を用いる場合は、本体部３２の内径は、最大径部２３ｂの径より大きく、かつ、最大径部２３ｂの径と金属線４０の径とを足した和より小さくなるよう構成される。
具体的には、本体部３２の内径は、魚の大きさや種類、釣り場の状況等に応じて、０．６〜１．４ｍｍ程度に設定される。
【００３３】
本実施形態の連結具１０により釣り針２０に金属線４０を連結する手順について、図２（Ａ）〜（Ｃ）に基づき説明する。
まず、図２（Ａ）に示すように、スリーブ３０内に、釣り針２０を後端２４側から挿入する。このとき、釣り針２０は、最大径部２３ｂがスリーブ３０本体部３２の内壁に接触しながら挿入される。スリーブ３０を最小径部２３ａ又は最小径部２３ａよりも曲がり２１ｂ側の位置に配置する。このとき、スリーブ３０内壁と釣り針２０の軸との間には、金属線４０を挿入可能な隙間ができている。
次いで、図２（Ｂ）に示すように、スリーブ３０内壁と釣り針２０の軸との隙間に、金属線４０を先端４１側から挿入し、金属線４０の先端４１をスリーブ３０よりも曲がり２１ｂ側に位置させる。このとき、図２（Ｂ）に示すように、金属線４０が、針胴部２２周囲の針先部２１ａ側に配置され、針胴部２２の軸と平行に伸びるようにする。つまり、金属線４０は、針胴部２２周囲の、釣り針２０が曲がり２１ｂから針先部２１ａに向かって湾曲する方向に、配置される。その後、勢いをつけて強い力で、スリーブ３０を釣り針２０の後端２４側に移動させる。これにより、金属線４０は、針胴部２２周囲の針先部２１ａ側に固定され、鉤振りが防止される。
また、金属線４０が、針胴部２２周囲の針先部２１ａ側に配置されるので、金属線４０がハリスの場合、ハリスを回転しないように幹糸に連結すれば、釣り針２０の針先部２１ａを仕掛け上方に向けて固定することが可能となる。
【００３４】
金属線４０に太い金属線を用いる場合には、金属線４０、スリーブ３０、テーパ部２３の間に隙間ができて、相互に接触する面積が狭くなることから、金属線４０に力がかかったときの摩擦抵抗が小さくなり、金属線４０を保持する力が弱くなる。そこで、スリーブ３０の曲がり２１ｂ側の位置で、釣り針２０を不図示の万力又はプライヤーで挟んで、スリーブ３０の曲がり２１ｂ側端部を支えながら、釣り針２０の後端２４をスリーブ３０の方向へ向かって金槌で軽く４〜５回叩いて、スリーブ３０を最大径部２３ｂ側に強く押し込み固く連結させると、金属線４０の抜けを防止可能となり、好適である。
その後、金属線４０の先端４１側がスリーブ３０から長く出ているようであれば、切除し、図２（Ｃ）の状態とする。以上で、連結具１０による釣り針２０への金属線４０の連結手順が完了する。
【００３５】
また、図３で示す他の連結手順により、本実施形態の連結具１０による連結を行ってもよい。
この連結手順では、まず、図２（Ａ）（Ｂ）と同様に、スリーブ３０内に、釣り針２０を後端２４側から挿入し、スリーブ３０内壁と釣り針２０の軸との隙間に、金属線４０を挿入し、金属線４０の先端４１をスリーブ３０よりも曲がり２１ｂ側に位置させる。このとき、金属線４０の先端４１側を曲がり２１ｂ側に長めに出しておく。
【００３６】
その後、金属線４０の先端４１側を針胴部２２の周囲に一周捲回させた後、金属線４０の先端４１を、スリーブ３０内壁と釣り針２０の軸との間の隙間に再度戻して挿入する。これにより、スリーブ３０の曲がり２１ｂ側に環４２が形成される。このとき、金属線４０が、針胴部２２周囲の針先部２１ａ側に配置され、針胴部２２の軸と平行に伸びるようにする。次いで、勢いをつけて強い力で、スリーブ３０を釣り針２０の後端２４側に移動させる。この移動により、スリーブ３０と環４２は一体となって最大径部２３ｂ側に移動し、環４２がスリーブ３０の曲がり２１ｂ側に隣接して配置される。また、金属線４０は、針胴部２２周囲の針先部２１ａ側に固定され、鉤振りが防止される。
その後、スリーブ３０から長く伸びた金属線４０の先端４１側を切除し、図３の状態とする。以上で、連結具１０による釣り針２０への金属線の連結手順が完了する。
【００３７】
この連結手順によれば、金属線４０の環４２は、針胴部２２を一周している。従って、金属線４０が魚等によって引っ張られた際、環４２は、針胴部２２を締め付ける方向に引っ張られ、針胴部２２と環４２との間で生じる摩擦抵抗により、金属線４０が抜けることを防止する。
また、この連結は、金属線４０の先端４１側を針胴部２２周囲に１周させてスリーブ３０と針胴部２２との間の隙間に差し戻すだけで、自然に形成できるため、特別複雑な操作を必要とせず、簡単に、金属線４０が外れにくい強固な連結を構成できる。
更に、金属線４０の先端４１が針先部２１ａの逆方向を向くため、金属線４０としてワイヤラインを用いたときでも、餌付けの際に金属線４０の先端４１の切り口で指を刺すおそれがない。
【００３８】
図２（Ｃ）、図３の連結は、スリーブ３０を曲がり２１ｂ側に移動させることにより、容易に分離可能である。従って、釣り場で魚や釣り場の状況によって釣り針２０を交換したい場合などは、スリーブ３０を曲がり２１ｂ側に移動させて、釣り針２０と金属線４０を分離し、図２、図３の手順により、新しい釣り針２０に容易に交換可能である。
【００３９】
なお、図３の例では、金属線４０を針胴部２２の周囲で一周させ、環４２を形成しているが、径０．４ｍｍのピアノ線など、太く硬い金属線を用いる場合には、針胴部２２の周囲で一周させる作業の作業性が悪い。そこで、環４２を形成せず、一旦曲がり２１ｂ側に出した金属線４０を二つ折りにして再度スリーブ３０と針胴部２２との間に戻して挿入するようにしてもよい。
この手順では、まず、スリーブ３０内壁と釣り針２０との軸の隙間に金属線４０を挿入し、金属線４０の先端４１をスリーブ３０よりも７〜１０ｃｍ程度曲がり２１ｂ側に位置させる。次いで、プライヤーで、スリーブ３０から出た金属線４０の先端４１側部分の中間で二つ折りにし、再度スリーブ３０内壁と釣り針２０の軸との隙間に戻して挿入する。その後、図３の手順と同様の手順で、金属線４０をテーパ部２３に固定させる。
この連結方法では、金属線４０が太く硬いため、二つ折りにした箇所に膨らみができ、この膨らみがストッパーになって、スリーブ３０を最大径部２３ｂ側に押す役割を果たす。
また、金属線４０を二つ折りにした箇所に少し太めの釣り糸を挿入し、同様に金属線４０をテーパ部２３に固定させた後、針先部２１ａと挿入された釣り糸の両端とを持って、針先部２１ａと挿入された釣り糸が相互に離れる方向に引っ張るようにしてもよい。これにより、スリーブ３０が最大径部２３ｂ側に強く押されて固定される。また、挿入された釣り糸がスリーブ３０の方向に引っ張られる際に、金属線４０の二つ折りの部分がスリーブ３０に当たる箇所に折り目ができ、この折り目が突起となって盛り上がるので、スリーブ３０を最大径部２３ｂ側に押す役割を果たす。
【００４０】
図４に、釣り針への金属線連結具の他の実施形態を示す。本実施形態の釣り針への金属線連結具１１（以下、連結具１１という）は、図１と同様の構成の釣り針２０及びスリーブ３０のほか、環状体としての金属製のリング３３を備える。
リング３３は、最大径部２３ｂよりも若干大きな内径を有する環状体からなり、針胴部２２の周囲の、スリーブ３０よりも曲がり２１ｂ側の位置に配置される。リング３３の外径は、スリーブ３０の外径よりも大きく構成されている。魚がかかることにより、金属線４０を引っ張る方向の力がかかったとき、リング３３が金属線４０の環４３ごとスリーブ３０内を通って釣り針２０の後端２４側へ抜けることを防止するためである。
釣り針２０及びスリーブ３０の構成は図１と同様であるため、説明を省略する。
【００４１】
図４の連結具１１により釣り針２０に金属線４０を連結する手順について説明する。
まず、リング３３に釣り針２０を後端２４側から通し、スリーブ３０内に釣り針２０を後端２４側から挿入して、釣り針２０の最小径部２３ａ又は最小径部２３ａよりも曲がり２１ｂ側の位置に、曲がり２１ｂに近い方からリング３３、スリーブ３０を順に配置させる。
スリーブ３０内壁と釣り針２０の軸との隙間、リング３３内壁と釣り針２０の軸との隙間に、順次金属線４０を挿入し、金属線４０の先端４１をリング３３よりも曲がり２１ｂ側に位置させる。このとき、金属線４０の先端４１側を曲がり２１ｂ側に長めに出しておく。
【００４２】
その後、金属線４０の先端４１側を針胴部２２の周囲に一周捲回させて、金属線４０の先端４１を、スリーブ３０内壁と釣り針２０の軸との間の隙間に再度戻して挿入する。これにより、スリーブ３０よりも曲がり２１ｂ側に、リング３３を一回だけ通る環４３が形成される。このとき、金属線４０が、針胴部２２周囲の針先部２１ａ側に配置され、針胴部２２の軸と平行に伸びるようにする。次いで、勢いをつけて強い力で、スリーブ３０を釣り針２０の後端２４側に移動させる。この移動により、スリーブ３０、リング３３、環４３は一体となって最大径部２３ｂ側に移動し、環４３がスリーブ３０の曲がり２１ｂ側に隣接して配置される。また、金属線４０は、針胴部２２周囲の針先部２１ａ側に固定され、鉤振りが防止される。
その後、スリーブ３０から長く伸びた金属線４０の先端４１側を切除し、図４の状態とする。以上で、連結具１１による釣り針２０への金属線４０の連結手順が完了する。
【００４３】
本実施形態によれば、魚等により金属線４０を引っ張る力がかかったときに、強い力で金属線４０が釣り針２０の後端２４方向へ後退しようとしても、リング３３がスリーブ３０に引っ掛かり、環４３がスリーブ３０内を通って後端２４側へ抜けようとする動きを制限するため、金属線４０が連結具１１から抜けることを防止できる。更に、魚等により金属線４０を引っ張る力がかかったときに、リング３３がスリーブ３０に引っ掛かり、リング３３がスリーブ３０を後端２４方向へ押圧するため、スリーブ３０が更に最大径部２３ｂに向かって押し込まれ、金属線４０と釣り針２０との連結がより強固になる。つまり、魚がかかったとき等必要なときに、連結力が増加される構造になっている。
【００４４】
図４の連結は、リング３３及びスリーブ３０を曲がり２１ｂ側に移動させることにより、容易に分離可能である。従って、釣り場で魚や釣り場の状況によって釣り針２０を交換したい場合などは、リング３３及びスリーブ３０を曲がり２１ｂ側に移動させて、釣り針２０と金属線４０を分離し、上記手順により、新しい釣り針２０に容易に交換可能である。
【００４５】
図１〜図４では、釣り針２０にテーパ部２３を設けて、スリーブ３２による金属線４０の連結を可能にしているが、図５に示すように、イカ角２５にテーパ部２３を備えた金属製のテーパ部材２６を埋設し、このテーパ部２３とスリーブ３０又は不図示の合成樹脂製の略円筒体からなるビーズとの間に金属線４０又は不図示の樹脂系釣り糸、天然又は合成繊維釣り糸等の非金属系釣り糸を挟持するように構成してもよい。
図５ではイカ角２５にテーパ部材２６が埋設されているが、擬似鉤（ルアー）、ミノー、イカリ等の他の釣り具にテーパ部材２６を埋設し、同様に連結してもよい。
【００４６】
本実施形態の釣り針２０の最小径部２３ａの径Ｄｍａx（ｍｍ）、最大径部２３ｂの径Ｄｍｉｎ（ｍｍ）、金属線４０の種類と径Ｌ（ｍｍ）、スリーブ３０の最も細い部分の最小内径（ｍｍ）を変化させて、金属線４０を図２、図３、図４の方法でテーパ部２３に連結した場合の挿通作業性、連結保持力を試験した結果を、図６の表に示す。
図６において、挿通作業性とは、スリーブ３０と針胴部２２との間に金属線４０を差し込み易いか否かをいう。また、連結保持力とは、テーパ部２３に金属線４０を図２、図３、図４の方法で連結した後、金属線４０と釣り針２０とを引き離す方向に力がかかったときに、十分耐え得ること、金属線４０がテーパ部２３から抜け出ないことをいう。
【符号の説明】
【００４７】
１  道糸
２  幹糸
３  ハリス
５  釣り針
６  サルカン
７  錘
８  釣り竿
９  リール
１０、１１  金属線連結具
２０  釣り針
２１ａ  針先部
２１ｂ  曲がり
２２  針胴部
２３  テーパ部
２３ａ  最小径部
２３ｂ  最大径部
２４  後端
２５  イカ角
２６  テーパ部材
３０  スリーブ
３１  拡径部
３２  本体部
３３  リング
４０  金属線
４１  先端
４２、４３  環
１０１  交換釣り針
１０２  軸
１０３  突出部
１０４  釣り針接続具
１０５  結合孔
１０６  開口部
１０７  割り溝
１０８  支持孔
【図１】
2011092131.tif 000003
【図２】
2011092131.tif 000004
【図３】
2011092131.tif 000005
【図４】
2011092131.tif 000006
【図５】
2011092131.tif 000007
【図６】
2011092131.tif 000008
【図７】
2011092131.tif 000009
【図８】
2011092131.tif 000010